(57)【特許請求の範囲】
【請求項１】
横型ケース内に横設された回転軸に既設管路を切断する切断機構と切断された既設管路内に挿入する挿入部体とを、前記回転軸を回転させることによって前記挿入部体を切断された前記既設管路の部位に直接的に置換可能に前記回転軸に取付けた状態で前記横型ケースを既設管路に添設し、
前記切断機構で既設管路を切断してから上記回転軸により前記挿入部体を既設管路の切断部間に挿入し接続する
ことを特徴とする既設管路不断水工事方法。
【請求項２】
既設管路内に挿入する挿入部体の両端部に接続スリーブを添設して回転軸に取付け、前記挿入部体を既設管路の切断部間に挿入してから該挿入部体および既設管路の切断端部をガイドとして既設管路上に前記接続スリーブを部分的に移動せしめ接続操作する
ことを特徴とした請求項１に記載の既設管路不断水工事方法。
【請求項３】
横型ケースに収納された切断機構を備え、横型ケース内に横設された回転軸に既設管路を切断する切断機構と切断された既設管路内に挿入する挿入部体とを、前記回転軸を回転させることによって前記挿入部体を切断された前記既設管路の部位に直接的に置換可能に前記回転軸に取付けた状態で前記横型ケースを既設管路に添設し、前記切断機構で既設管路を切断してから上記回転軸により前記挿入部体を既設管路の切断部間に挿入し接続する
ことを特徴とする既設管路不断水工事装置。
【請求項４】
回転軸に切断機構および挿入部体取付部を駆動する駆動部と原動機構からの駆動力を伝達する被動部とを設けた
ことを特徴とする請求項３に記載の既設管路不断水工事装置。
【発明の詳細な説明】
【０００１】
【発明の属する技術分野】
本発明は既設管路の不断水工事方法およびその装置に係り、既設管路に対し通水などを遮断することなしに漏水補修、分岐管路による取出しなどの工事を実施することのできる新しい方法およびその装置を提供しようとするものである。
【０００２】
【従来の技術】
既設管路はその長期に亘る使用によって腐食、損耗し漏洩などを発生することからそうした損耗、漏洩部分を補修し、また管路中にバルブやメータなどの機器を追加挿入し、あるいは分岐管を取出し、更にはこれらを適宜に組み合わせ、若しくは伸縮可撓管の挿入その他の施工を併せて実施することが多いが、このような場合には管路内に通水などを遮断して行うことが一般的である。
【０００３】
然し、既設管路の通水などを遮断するならば該管路系を利用した給排水作用が完全に停止し、あるいは少くとも大幅に制限されることとなって給排水系の広汎な全般において大きな支障を来すことが多いから水路系管路の如きにおいて不断水補修することについても一部に行われている。即ちこのような従来技術としては既設管路に対して補修部位を収容包囲する大型円筒状の竪形ケースまたはカバーの如きを設けると共に該ケースまたはカバーには上記既設管路に対する切断機やケース内を遮断するスライド弁を設けたような設備を採用し、また既設管路に連結用スリーブを管路をガイドとしたスライダブルに装着したような条件下で、切断機によって既設管を切断してから、一旦切断機を既設配管から離脱退避せしめ、次いで前記スライド弁によってケース内を分割遮断するものである。
【０００４】
また、上記したようなスライド弁によるケース内の分割シール後に一旦移動退避した前記切断機の位置は管路中挿入部体をセットし、次いで遮断シールしていたスライド弁を開披すると共に前記管路中挿入部体を切取られた既設管中にセットし、更にこの状態で前記のように準備されていた連結用スリーブを挿入部体と既設管との間に移動添設せしめ、このようにしてからケース内の水をケース底部に設けられた排水口から抜取り、その後に上述したような大型ケースを取外して既設管路中に挿入部体を連続した管路状態とするものである。
【０００５】
【発明が解決しようとする課題】
上記したような従来の不断水管路交換工法によるものは弁体開閉操作機構なども必要で、竪形円筒状ケースを主体とした相当の大型な設備を必要とし、また多段の過程が必要であって長時間に亘る作業とならざるを得ないこととなり、コストアップを避け得ない不利がある。
【０００６】
また管路内は不断水であってもケース内には相当の水が噴出し、スライド弁でケース内を分割シールした後にケース上部またはケース下部の水を適宜に放出することが必要であり、スライド弁は単にケース内を区分シールするだけであるから上記のように大型な竪形円筒状ケース内で、前記のようにそれなりに長時間となる作業中に相当大量の管路内流水が放出されることとなる欠点を有している。
【０００７】
【課題を解決するための手段】
本発明は上記したような従来技術における不利、欠点を解消することについて検討を重ね、中間に回転軸を備え、該回転軸に切断機と装入管路部体とを取付けるよにした横型ケースを採用し、既設管路の切断と新しい管路部体の装入とを連続的に行うことによって、比較的短時間内にコンパクトな設備により的確な管路交換操作を実施することに成功したものであって、以下の如くである。
【０００８】
(1)   横型ケース内に横設された回転軸に既設管路を切断する切断機構と切断された既設管路内に挿入する挿入部体を取付けた状態で前記横型ケースを既設管路に添設し、前記切断機構で既設管路を切断してから上記回転軸により前記挿入部体を既設管路の切断部間に挿入し接続することを特徴とする既設管路不断水工事方法。
【０００９】
(2)   既設管路内に挿入する挿入部体の両端部に接続スリーブを添設して回転軸に取付け、前記挿入部体を既設管路の切断部間に挿入してから該挿入部体および既設管路の切断端部をガイドとして既設管路上に前記接続スリーブを部分的に移動せしめ接続操作することを特徴とした前記（１）項に記載の既設管路不断水工事方法。
【００１０】
(3)   横型ケースに回転軸を横設し、該回転軸に既設管路切断機構と切断された既設管路内に挿入する挿入部体を取付けるようにしたことを特徴とする既設管路不断水工事装置。
【００１１】
(4)   回転軸に切断機および挿入部体取付部を駆動する駆動部と原動機構からの駆動力を伝達する被動部とを設けたことを特徴とする前記（３）項に記載の既設管路不断水工事装置。
【００１２】
横型ケース内に横設された回転軸に既設管路を切断する切断機構と切断された既設管路内に挿入する挿入部体を取付けた状態で前記横型ケースを既設管路に添設し、前記切断機構で既設管路を切断してから上記回転軸により前記挿入部体を既設管路の切断部間に挿入し接続することによって既設管路の切断と該既設管路切断部に対する挿入部体の挿入操作とを連続的に実施せしめ、高能率且つ短時間内の挿入接続を可能とし不断水工事における管路内流水の損失などを低減する。
【００１３】
既設管路内に挿入する挿入部体の両端部に接続スリーブを添設して回転軸に取付け、前記挿入部体を既設管路の切断部間に挿入してから該挿入部体および既設管路の切断端部をガイドとして既設管路上に前記接続スリーブを部分的に移動せしめ接続操作することによって既設管路の接続部に対する接続操作を挿入部体の切断部挿入に連続して実施せしめ作業の高能率性を確保する。
【００１４】
横型ケースを採用することによって目的とする既設管路の方向にそったケースの取扱いを得しめ、また該横型ケースに回転軸を横設し、該回転軸に既設管路切断機構と切断された既設管路間に挿入する挿入部体を取付けるようにしたことにより管路切断機構と切断された既設管路間に挿入する挿入部体とを既設管路の設定方向にそってセットせしめ、回転軸を中心とした回動操作によって既設管路切断に連続して切断機の取出しと挿入部体の挿入とを同時に行わしめることができ、高能率に目的の作業を行わしめる。
【００１５】
回転軸に切断機および挿入部体取付部を駆動する駆動部と原動機構からの駆動力を伝達する被動部とを設けたことにより回転軸を中心とした比較的簡易且つコンパクトな構成によって的確な切断および挿入部体の挿入操作を実現せしめる。
【００１６】
【発明の実施の形態】
上記したような本発明によるものの具体的な実施態様を添附図面に示すものについて説明すると、本発明においては図１の（Ａ）〜（Ｃ）にそれぞれ示すように既設管路１０の軸線と平行な軸材１を中心とした横型円筒状ケース２を採用し、該ケース２の下部には図１の（Ａ）に示すように前記既設管路１０を包囲して設定される切断機３が設けられるように成っているが該切断機３は前記軸材１に軸着されたものであって、軸材１には該切断機３に対向して切断された既設管路１０中に挿入される挿入部体４が取付けられるように成っている。
【００１７】
また前記した軸材１には駆動ギヤ５が設けられていて原動機構６からの駆動を受けることにより回動され、また別に設けられた駆動ギヤ７は前記切断機３を駆動し、図１の（Ａ）のように既設管１０に切断機３をセットした状態で駆動ギヤ７を介した駆動が与えられることにより既設管１０を切断するように成っている。
【００１８】
更に本発明では上述したような挿入部体４には図１の（Ａ）（Ｂ）に示すように連結スリーブ８が両端部に装着されていて既設管路１０の切断部間に図１の（Ｂ）に示す如く装入された状態で油圧シリンダーの如きによる作動で同図（Ｃ）のように連結スリーブ８を既設管路１０の切断部方向に移動せしめて図１（Ｄ）のように切断管端に対する接続を完成し得るものである。
【００１９】
上記したような本発明によるものは横型円筒の如きケースを用い、切断機３と挿入部体４とをセットして既設管路１０を切断してから連続的に挿入部体４を既設管路１０の切断端部間に送り込んで特別なシール操作などを行うことなく連続的に接続操作することができるもので能率的な作業をなし得ることは明かであり、既設管路１０内を流れる流体は単にケース２内に封入されたままで作業され、外部に流失することも実質的にない。
【００２０】
【発明の効果】
上記したような本発明によるときは比較的コンパクトな設備と少い操作過程によって有効な既設管路の不断水工事を円滑に遂行することができ、またケース内の水を排出操作したり、シール部体を出入操作するようなことのない不断水工事を円滑に実施し得るものであるから工業的にその効果の大きい発明である。
【図面の簡単な説明】
【図１】本発明による装置およびその既設管路非遮断工事の過程を段階的に示した説明図であって既設管路の方向にそった横断面図と既設管路の方向に直交した縦断面図とを適宜に併せて示したものである。
【符号の説明】
１    軸材
２    横型円筒状ケース
３    切断機
４    既設管路中挿入部体
５    駆動ギヤ
６    原動機構
７    別に設けられた駆動ギヤ
８    連結スリーブ
１０  既設管路
【図１】
0004354045.tif 000002